(57)【特許請求の範囲】
【請求項１】
外部機器と無線通信を行う情報通信端末において、
前記外部機器との無線通信の同期を確立するための同期信号を送信して、前記外部機器との無線通信の同期を確立する無線通信同期確立部と、
前記外部機器との無線通信の同期確立のタイミングから所定のイベントが発生するまでの相対時刻をカウントするためのカウント制御処理を行う制御部と、
前記所定のイベントの検出を示す情報に前記相対時刻を関連づけたイベント情報を生成する情報処理を行うアプリケーションプログラムを実行する処理部と、
前記イベント情報を前記外部機器へ送信する送信部と、を含む情報通信端末。
【請求項２】
請求項１において、
前記無線通信同期確立部及び前記制御部として機能する無線通信モジュールと、
前記処理部として機能するプロセッサーを含み、
前記無線通信モジュールは、
カウンター回路を含み、前記無線通信の同期確立のタイミングで、前記カウンター回路のカウント動作を開始させる制御を行い、
前記プロセッサーは、
前記カウンター回路のカウント値を取得して、取得したカウント値に基づき前記相対時刻を設定する情報通信端末。
【請求項３】
請求項１において、
前記無線通信同期確立部として機能する無線通信モジュールと、
前記制御部及び前記処理部として機能するプロセッサーを含み、
前記無線通信モジュールは、
前記無線通信の同期確立のタイミングで、前記プロセッサーに割り込み信号を出力し、
前記プロセッサーは、
前記割り込み信号に基づき、カウント値のカウント処理を開始して、前記カウント値に基づき前記相対時刻を設定する情報通信端末。
【請求項４】
請求項１乃至３のいずれか１項において、
前記無線通信同期確立部は、
前記外部機器から無線通信の同期を確立するための同期信号を受信して、前記外部機器との無線通信の同期を確立する情報通信端末。
【請求項５】
請求項１乃至４のいずれか１項において、
前記無線通信同期確立部は、
双方向通信可能に構成され、前記外部機器と無線通信の同期が確立していない状態において、所定の情報を送信してＡＣＫ信号を受信したらマスターとして動作するマスターモードにし、前記外部機器と無線通信の同期が確立していない状態において待ち受け状態で所定の同期信号を受信したらスレーブとして動作するスレーブモードにする双方向通信制御部を含む情報通信端末。
【請求項６】
請求項５において、
前記双方向通信制御部は、
前記無線通信の同期確立後は、所定の間隔で、信号の送受信を行い、スレーブモードの場合には信号の送受信を行う所定の間隔に合わせて所定期間待ち受け状態にする情報通信端末。
【請求項７】
請求項１乃至６のいずれか１項において、
センサー部を、さらに含み、
前記処理部は、
前記センサー部の検出情報に基づき、検出タイミングに対応するイベント情報を生成する情報通信端末。
【請求項８】
請求項７に記載の情報通信端末を含む生体情報測定機器において、
前記センサー部は、
生体情報を検出するセンサーを含み、
前記処理部は、
前記生体情報に関するセンサーの検出結果を含むイベント情報を生成する生体情報測定機器。
【請求項９】
無線通信を行う第１の情報通信端末と第２の情報通信端末を含む複数の情報通信端末を含む情報通信システムであって、
前記第１の情報通信端末は、
前記第２の情報通信端末との無線通信の同期を確立するための同期信号を送受信することにより、前記第２の情報通信端末との無線通信の同期を確立する無線通信同期確立部と、
前記第２の情報通信端末との無線通信の同期確立のタイミングから所定のイベントが発生するまでの相対時刻をカウントするためのカウント制御処理を行う制御部と、
前記所定のイベントの検出を示す情報に前記相対時刻を関連づけたイベント情報を生成する情報処理を行うアプリケーションプログラムを実行する処理部と、
前記イベント情報を前記第２の情報通信端末へ送信する送信部と、を含み、
前記第２の情報通信端末は、
前記第１の情報通信端末との無線通信の同期を確立するための同期信号を送受信することにより、前記第１の情報通信端末との無線通信の同期を確立する無線通信同期確立部と、
前記第１の情報通信端末との無線通信の同期確立のタイミングからの相対時刻をカウントするためのカウント制御処理を行う制御部と、
前記相対時刻に基づき情報処理を行うアプリケーションプログラムを実行する処理部と
、
前記第１情報通信端末から前記イベント情報を受信する受信部と、を含み、
前記処理部は、
前記イベント情報に関連づけられた相対時刻に基づき情報処理を行うアプリケーションプログラムを実行する、情報通信システム。
【発明の詳細な説明】
【技術分野】
【０００１】
本発明は、情報通信端末、生体情報測定機器及び情報通信システムに関する。
【背景技術】
【０００２】
従来より歩数計や脈拍計や血圧計等の携帯用健康管理器具が知られている。それらは、健康管理機器のセンシング手段として複数のセンサーを使用する物があるが、それらの信号は有線で接続されていた。
【先行技術文献】
【特許文献】
【０００３】
【特許文献１】特許３３８１３５３号公報
【発明の概要】
【発明が解決しようとする課題】
【０００４】
健康維持のためには、各種センシング機能を有する健康管理機器を携帯する事が有効であるが、センサー情報の無線送信を行っても、同期をとるのが困難であるという課題が有った。
【０００５】
本発明はこのような問題点に鑑みてなされたものである。本発明のいくつかの態様によれば、無線通信を行う情報通信端末において、汎用無線方式での通信回路の同期信号を利用して、上位層のアプリケーションとしての情報処理の同期を実現することが可能な情報通信端末、生体情報測定機器及び情報通信システムを提供することができる。
【課題を解決するための手段】
【０００６】
（１）本発明の一態様は、無線通信機能を有する外部機器と無線通信を行う無線通信部と、所与のアプリケーションプログラムをプロセッサーで実行することにより所与の情報処理を行う処理部と、を含み、前記無線通信部は、前記外部機器との無線通信の同期を確立するための同期信号を送信して、前記外部機器との無線通信の同期を確立する無線通信同期確立部と、前記無線通信の同期のタイミングで前記プロセッサーに割り込み信号を出力する処理、又は無線通信の同期のタイミングからの相対時刻をカウントするためのカウント制御処理を行う制御部とを含み、前記処理部は、前記外部機器に対する送信情報として、所与のイベントを前記無線通信の同期のタイミングに対応して設定された相対時刻に関連づけたイベント情報を生成する送信情報生成部を含む情報通信端末に関する。
【０００７】
プロセッサーに割り込み信号を出力する処理を行う場合には、送信情報生成部は、割り込み信号のタイミングで相対時刻のカウントを開始して、イベント発生時刻に対応する相対時刻に関連づけたイベント情報を生成してもよい。
【０００８】
カウンターのカウント動作制御処理（カウント開始処理またはリセット処理）を行う場合には、送信情報生成部は、イベント発生時にカウンターのカウント値を読み出して、読み出したカウント値に関連づけたイベント情報を生成してもよい。
【０００９】
ここでイベントとは、例えば外部からの信号や入力等により発生するものでもよいし、情報通信端末が行う情報処理等により発生するものでもよい。また情報処理端末がセンサー等を備える場合には備えるセンター等の検出状況等に応じて発生するものでもよい。
【００１０】
この様にすれば例えば汎用無線方式等の無線通信の同期信号を利用して、プロセッサーが実行する上位層のアプリケーションとしての情報処理の同期を実現することができる。
【００１１】
（２）この情報通信端末において、前記無線通信部は、カウンター回路を含み、前記制御部は、前記無線通信の同期のタイミングで、前記カウンター回路のカウント動作を開始させる制御を行い、前記送信情報生成部は、前記カウンター回路のカウント値を取得して、取得したカウント値を前記無線通信の同期のタイミングに対応して設定された相対時刻としてイベント情報を生成してもよい。
【００１２】
カウンター回路のカウンター値は、上位アプリケーションが参照可能な構成にする。例えばアプリケーションで参照可能なレジスターにカウンター回路のカウント値を出力するようにしてもよい。
【００１３】
例えば、カウンター回路として、高速クロック源からの分周段を持ち、無線通信の同期のタイミング（1MBPS）でカウンター回路にリセットをかける事により、例えばlμSECレベルでの同期を実現することができる。このカウンター値を上位アプリケーションから読める様にしているので、プロセッサーが実行する上位層のアプリケーションとしての情報処理で、精度のよい同期を実現することができる。
【００１４】
（３）この情報通信端末において、前記制御部は、前記無線通信の同期のタイミングで、前記プロセッサーに割り込み信号を出力し、前記送信情報生成部は、前記割り込み信号に基づき、前記無線通信の同期のタイミングに対する相対時刻のカウントを開始して、カウント値を前記無線通信の同期のタイミングに対応して設定された相対時刻としてイベント情報を生成してもよい。
【００１５】
（４）この情報通信端末において、センサー部を、さらに含み、前記送信情報生成部は、前記センサー部の検出情報に基づき、検出タイミングに対応するイベント情報を生成してもよい。
【００１６】
センサー部は、例えば動き（慣性力）を検出する慣性センサーを含んでもよいし、加速度を検出する加速度センサーを含んでもよいし、角速度を検出するジャイロセンサー（角速度センサー）を含んでもよい。またセンサー部は、スイッチ入力や、音や光等を検出するセンサーを含んでもよいし、健康維持等のための健康管理機器が有する各種センサー（体温、体重、心拍、脈、血圧等）を含んでもよい。
【００１７】
（５）この情報通信端末において、前記無線通信同期確立部は、前記外部機器から無線通信の同期を確立するための同期信号を受信して、前記外部機器との無線通信の同期を確立し、前記制御部は、前記無線通信の同期のタイミングに前記プロセッサーに割り込み信号を出力する処理、又は前記無線通信の同期のタイミングからの相対時刻をカウントするためのカウント制御処理を行い、前記処理部は、前記外部機器から、前記無線通信の同期のタイミングに対応して設定された相対時刻に関連づけたイベント情報を受信すると、当該相対時刻に基づき、前記外部機器の前記イベント情報との同期をとって、情報処理を行うイベント同期処理部を含んでもよい。
【００１８】
（６）この情報通信端末において、前記無線通信部は、双方向通信可能に構成され、前記外部機器と無線通信の同期が確立していない状態において、所定の情報を送信してＡＣＫ信号を受信したらマスターとして動作するマスターモードにし、前記外部機器と無線通信の同期が確立していない状態において待ち受け状態で所定の同期信号を受信したらスレーブとして動作するスレーブモードにする双方向通信制御部を含んでもよい。
【００１９】
（７）この情報通信端末において、前記双方向通信制御部は、前記無線通信の同期確立後は、所定の間隔で、信号の送受信を行い、スレーブモードの場合には信号の送受信を行う所定の間隔に合わせて所定期間待ち受け状態にしてもよい。
【００２０】
このようにすると、向無線通信可能で対等な関係にある情報通信端末が、所与のタイミング又は所与のイベントによって一方がマスターとして機能し、他方がスレーブとして機能し、無線通信の同期確立後は、所定の間隔で通信を行い、スレーブとして機能するほうは、所定期間以外は待ち受け状態よりも消費電力の低い状態になるので、消費電力の少ない情報通信端末を実現することができる。
【００２１】
（８）本発明の一態様は、上記に記載の生体情報測定機器において、前記センサー部は、生体情報を検出するセンサーを含み、前記送信情報生成部は、前記生体情報に関するセンサーの検出結果を含むイベント情報を生成してもよい。
【００２２】
生体情報とは体温、体重、心拍、脈、血圧等でもよく、センサーはこれらを検出するセンサーでもよい。
【００２３】
この様にすると、例えば右手に装着した生体情報を検出するセンサーと、左手に装着した生体情報を検出するセンサーの無線によるデータ通信時に各々の取得された生体情報の同期化が実現する為、そのデータ分析が容易となる。
【００２４】
また携帯用健康管理機器の同期を実現して、一方の生体情報の高精度時刻情報によって、他方の測定時刻と同期化を実現することができる。
【００２５】
（９）本発明の一態様は、第１の情報通信端末と第２の情報通信端末を含む複数の情報通信端末の含む情報通信システムであって、第１の情報通信端末は、外部機器との間で無線通信を行う無線通信部と、所与のアプリケーションプログラムをプロセッサーで実行することにより所与の情報処理を行う処理部と、を含み、前記無線通信部は、前記外部機器との無線通信の同期を確立するための同期信号を送信して、前記外部機器との無線通信の同期を確立する無線通信同期確立部と、前記無線通信の同期のタイミングで前記プロセッサーに割り込み信号を出力する処理、又は無線通信の同期のタイミングからの相対時刻をカウントするためのカウント制御処理（カウント開始処理またはリセット処理）を行う制御部とを含み、前記処理部は、前記外部機器に対するイベント情報として、前記無線通信の同期のタイミングに対応して設定された相対時刻に関連づけたイベント情報を生成する送信情報生成部を含み、前記第２の情報通信端末は、外部機器との間で無線通信を行う無線通信部と、所与のアプリケーションプログラムをプロセッサーで実行することにより、所与の情報処理を行う処理部と、を含み、前記無線通信同期確立部は、前記外部機器から無線通信の同期を確立するための同期信号を受信して、前記外部機器との同期を確立し、制御部は、前記同期信号受信又は無線通信の同期確立のいずれかを無線通信の同期のタイミングとして、無線通信の同期のタイミングに前記プロセッサーに割り込み信号を出力する処理、又は無線通信の同期のタイミングからの相対時刻をカウントするためのカウント制御処理を行い、前記イベント同期処理部は、前記外部機器から、前記無線通信の同期のタイミングに対応して設定された相対時刻に関連づけたイベント情報を受信すると、当該相対時刻に基づき、前記外部機器の前記イベント情報との同期をとって、情報処理を行う情報通信システムに関する。
【図面の簡単な説明】
【００２６】
【図１】本実施形態に係る情報通信端末の機能ブロック図の一例。
【図２】本実施形態に係る情報通信端末の機能ブロック図の他の一例。
【図３】本実施の形態の情報通信システムについて説明するための図。
【図４】無線通信の同期信号を利用して上位層のアプリケーションとしての情報処理の同期を実現する例について説明するための図。
【図５】対等で双方向無線通信可能な情報通信端末間の通信制御について説明するための図。
【図６】本実施の形態の情報通信端末の無線通信の同期信号を利用したアプリケーションとしての情報処理の同期制御の処理の流れの一例を示すフローチャート。
【図７】本実施の形態の情報通信端末の無線通信の同期信号を利用したアプリケーションとしての情報処理の同期制御の処理の流れの他の一例を示すフローチャート。
【図８】本実施の形態の情報通信端末の無線通信の同期信号を利用したアプリケーションとしての情報処理の同期制御の処理の流れの他の一例を示すフローチャート。
【図９】本実施の形態の情報通信端末の双方向通信の待ち受け制御の処理の流れの他の一例を示すフローチャート。
【発明を実施するための形態】
【００２７】
以下、図面に基づき、本発明の実施形態を説明する。
【００２８】
図１は、本実施形態に係る情報通信端末の機能ブロック図の一例を示す。なお本実施形態の情報通信端末１００は図１の構成要素（各部）の一部を省略した構成としてもよい。
【００２９】
本実施の形態の端末１００は、無線で送受信を行うのもで、無線通信部１１０と、処理部１２０と、センサー部１３０、記憶部１６０と、アンテナ１７０等を含む。
【００３０】
処理部１２０は、所与のアプリケーションプログラムをプロセッサーで実行することにより、所与の情報処理を行うもので、その機能は、各種プロセッサー（ＣＰＵ等）、或いはＡＳＩＣ（ゲートアレイ等）などのハードウェアや、所与のプログラム（マイクロプログラム等）より実現できる。
【００３１】
無線通信部１１０は、外部機器との間で無線通信を行うための各種制御を行うものであり、その機能は、各種プロセッサーや通信用ＡＳＩＣなどにより実現することができる。無線通信部１１０は、例えば、ブルートゥース、無線ＬＡＮ或いはＡＮＴなどの方式の近距離無線通信を実現する。無線送信部１１０は、例えば処理部（ＣＰＵ）１２０からのコマンドにしたがって外部と無線通信をおこなう機能モジュールであり、信号の送信を司るベースバンドブロックや所定のＲＦ周波数信号をアンテナ１７０を介して送信するＲＦブロック等を備えるようにしてもよい。また例えばＦＰＧＡ（Field Programmable Gate Array）のようなＩＣ完成後にユーザーが内部論理をプログラムにより変更できる汎用のロジック・デバイスで構成することもできる。無線通信部１１０は、マルチキャスト及びブロードキャスト通信処理等を行うことができるようにしてもよい。
【００３２】
アンテナ１７０は半波長のダイポールアンテナ等を使用するようにしてもよい。
記憶部１６０（メモリー）は、処理部１００のワーク領域となり、また、処理１００の各部として情報通信端末１０を機能させるためのプログラムやデータなどを格納するものであり、その機能はＲＡＭやＲＯＭなどにより実現することができる。
【００３３】
無線通信部１１０は、無線通信機能を有する外部機器（例えば本実施の形態と同じ構成を有する外部機器でもよいし、他の構成を有する外部機器でもよい）と無線通信を行い、処理部１２０は、所与のアプリケーションプログラムをプロセッサーで実行することにより、所与の情報処理を行う。無線通信部１１０は、外部機器との無線通信の同期を確立するための同期信号を送信して、外部機器との無線通信の同期を確立する無線通信同期確立部１１２と、無線通信の同期のタイミングでプロセッサーに割り込み信号を出力する処理、又は無線通信の同期のタイミングからの相対時刻をカウントするためのカウント制御処理を行う制御部１１６を含む。
【００３４】
処理部１２０は、外部機器に対するイベント情報として、無線通信の同期のタイミングに対応して設定された相対時刻に関連づけたイベント情報を生成する送信情報生成部１２２を含む。
【００３５】
無線通信の同期を確立するための同期信号は、例えば外部機器と通信確立時の同期（例えば無線通信時のワード同期等）時の信号や、パケット同期信号等でもよい。
【００３６】
前記無線通信の同期のタイミングは、無線通信の同期が確立したタイミングでもよいし、例えば外部機器に同期信号を送信した時点でもよいし、外部機器からＡＣＫ信号を受け取った時点でもよいし、その他の無線通信の同期に使用される信号の送受信のタイミングでもよい。また無線通信の同期に関する所与のプロトコルで決められた所定の時点でもよい。
【００３７】
カウンターのカウント動作制御処理（カウント開始処理またはリセット処理）を行う場合には、送信情報生成部は、イベント発生時にカウンターのカウント値を読み出して、読み出したカウント値に関連づけたイベント情報を生成してもよい。
【００３８】
ここでイベントとは、例えば外部からの信号や入力等により発生するものでもよいし、情報通信端末が行う情報処理等により発生するものでもよい。また情報処理端末がセンサー等を備える場合には備えるセンサー等の検出状況等に応じて発生するものでもよい。
【００３９】
無線通信部１１０は、カウンター回路１１８を含む。制御部１１６は、無線通信の同期のタイミングで、カウンター回路１１８のカウント動作を開始させる制御を行い、送信情報生成部１２２は、カウンター回路１１８のカウント値を取得して、取得したカウント値を無線通信の同期のタイミングに対応して設定された相対時刻としてイベント情報を生成してもよい。
【００４０】
カウンター回路１１８のカウンター値は、上位アプリケーションが参照可能な構成にしてもよい。例えばアプリケーションで参照可能な（図示しない）レジスターにカウンター回路のカウント値を出力するようにしてもよい。
【００４１】
例えば、カウンター回路１１８として、高速クロック源からの分周段を持ち、無線通信の同期のタイミング（1MBPS）でカウンター回路１１８にリセットをかける事により、例えばlμSECレベルでの同期を実現することができる。このカウンター値を上位アプリケーションから読める様にすることでプロセッサーが実行する上位層のアプリケーションとしての情報処理で、精度のよい同期を実現することができる。
【００４２】
送信情報生成部１２２は、センサー部１３０の検出情報に基づき、検出タイミングに対応するイベント情報を生成してもよい。
【００４３】
センサー部１３０は、例えば動き（慣性力）を検出する慣性センサーを含んでもよいし、加速度を検出する加速度センサーを含んでもよいし、角速度を検出するジャイロセンサー（角速度センサー）を含んでもよい。またセンサー部１３０は、スイッチ入力や、音や光等を検出するセンサーを含んでもよいし、健康維持等のための健康管理機器が有する各種センサー（体温、体重、心拍、脈、血圧等）を含んでもよい。センサー部１３０の出力はＡ／Ｄ変換器（図示省略）に入力され、Ａ／Ｄ変換器の出力が処理部１２０に入力されるようにしてもよい。
【００４４】
無線通信同期確立部１１２は、外部機器から無線通信の同期を確立するための同期信号を受信して、外部機器との無線通信の同期を確立し、制御部１１６は、前記無線通信の同期のタイミングに前記プロセッサーに割り込み信号を出力する処理、又は前記無線通信の同期のタイミングからの相対時刻をカウントするためのカウント制御処理を行う。
【００４５】
処理部１２０は、外部機器から、無線通信の同期のタイミングに対応して設定された相対時刻に関連づけたイベント情報を受信すると、当該相対時刻に基づき、前記外部機器の前記イベント情報との同期をとって、情報処理を行うイベント同期処理部１２４を含んでもよい。
【００４６】
無線通信部１１０は、双方向通信可能に構成され、外部機器と無線通信の同期が確立していない状態において、所定の情報を送信してＡＣＫ信号を受信したらマスターとして動作するマスターモードにし、外部機器と無線通信の同期が確立していない状態において待ち受け状態で所定の同期信号を受信したらスレーブとして動作するスレーブモードにする双方向通信制御部を含んでもよい。
【００４７】
また双方向通信制御部１１４は、無線通信の同期確立後は、所定の間隔で、信号の送受信を行い、スレーブモードの場合には信号の送受信を行う所定の間隔に合わせて所定期間待ち受け状態にしてもよい。
【００４８】
所定の間隔は、無線通信の同期タイミングによってカウントが開始されるカウント値に基づいて設定してもよい。また通信が行われる毎に、無線通信の同期のタイミングを設定し、カウント値をリセットするようにしてもよい。
【００４９】
図２は、本実施形態に係る情報通信端末の機能ブロック図の他の一例である。図２において、図１と共通する構成要素については同一の符号を付し、その説明を適宜省略する。
【００５０】
図２に示す例では、同期タイミングからの相対時刻をアプリケーション側でカウントする。すなわち制御部１１６は、無線通信の同期のタイミングで、処理部１２０（プロセッサー）に割り込み信号１１７を出力し、送信情報生成部１２２は、割り込み信号１１７に基づき、無線通信の同期のタイミングに対する相対時刻のカウントを開始して、カウント値を前記無線通信の同期のタイミングに対応して設定された相対時刻としてイベント情報を生成してもよい。
【００５１】
図３は、本実施の形態の情報通信システムについて説明するための図である。
【００５２】
無線通信の同期信号を利用して、複数の情報通信端末が上位層のアプリケーションとしての情報処理の同期を実現する例について説明するための図である。
本実施の形態の情報通信システム１０は、第１の情報通信端末１００−１と第２の情報通信端末１００−２を含む複数の情報通信端末を含む。
【００５３】
複数の情報通信端末１００−１、１００−２、１００−３は、図１又は図２で説明した構成を有する双方向無線通信可能な情報通信端末である。
【００５４】
各情報通信端末は、双方向通信を行う際に、マスターとして機能することもできるしスレーブとして機能することもできる。
【００５５】
他の情報通信端末との同期が確立されていない状態の第１の情報通信端末１００−１にマスターになるべきイベントが発生すると、他の情報通信端末との無線通信の同期を確立するための同期信号２１０を送信する。ここで、他の情報端末に同期信号を送信する方式は、単一のアドレスを指定して特定の相手にデータを送信するユニキャスト方式でもよいし、不特定多数の相手にデータを送信するブロードキャスト方式でもよいし、複数の相手を指定してデータを送信するマルチキャスト方式でもよい。例えば同期信号はワード同期の確立時の信号でもよい。
【００５６】
他の情報通信端末との同期が確立されていない状態の第２の情報通信端末１００−２が、第１の情報通信端末１００−１から送信された同期信号２１０を受信して、ＡＣＫ信号２１２を返信すると、第１の情報通信端末１００−１と第２の情報通信端末１００−２の間に通信の同期が確立する。同期が確立したタイミングを無線通信の同期のタイミングとする。第１の情報通信端末１００−１においては、同期信号２１０を送信した時点を無線通信の同期のタイミングとしてもよいし、第２の情報通信端末１００−２からＡＣＫ信号２１２を受信した時点を無線通信の同期のタイミングとしてもよい。第２の情報通信端末１００−２においては、同期信号２１０を受信した時点を無線通信の同期のタイミングとしてもよいし、第１の情報通信端末１００−１にＡＣＫ信号２１２を送信した時点を無線通信の同期のタイミングとしてもよい。
【００５７】
第１の情報通信端末１００−１の無線通信モジュール（無線通信部）は、無線通信の同期のタイミングでプロセッサーに割り込み信号を出力する処理、又は無線通信の同期のタイミングからの相対時刻をカウントするためのカウント制御処理（カウント開始処理またはリセット処理）を行う。第１の情報通信端末１００−１のアプリケーションモジュール（処理部）は、第２の情報通信端末１００−１に対するイベント情報として、無線通信の同期のタイミングに対応して設定された相対時刻に関連づけたイベント情報を生成して、無線通信部は、そのイベント情報を、第２の情報通信端末１００−２送信する。
【００５８】
第２の情報通信端末１００−２の無線通信モジュール（無線通信部）は、第１の情報通信端末１００−１から無線通信の同期を確立するための同期信号２１０を受信して、第２の情報通信端末１００−２との同期を確立する。第２の情報通信端末１００−２の無線通信モジュールは、同期信号受信又は無線通信の同期確立のいずれかを無線通信の同期のタイミングとして、無線通信の同期のタイミングに前記プロセッサーに割り込み信号を出力する処理、又は無線通信の同期のタイミングからの相対時刻をカウントするためのカウント制御処理を行う。第２の情報通信端末１００−２のアプリケーションモジュールは、第１の情報通信端末１００−１から前記無線通信の同期のタイミングに対応して設定（処理部）された相対時刻に関連づけたイベント情報を受信すると、当該相対時刻に基づき、第１の情報通信端末１００−１との同期をとって、情報処理を行うようにしてもよい。
【００５９】
図４は、無線通信の同期信号を利用して、上位層のアプリケーションとしての情報処理の同期を実現する例について説明するための図である。
【００６０】
ここでは第１の情報通信端末１００−１が陸上競技のスタートラインにおけるスタートイベント（第１のイベント）Ｅ１を検出し、第２の情報通信端末１００−２がゴールイベント（第２のイベントＥ２）を検出する場合を例にとり説明する。
【００６１】
第１の情報通信端末１００−１は、陸上競技においてスタートラインに設置され、スタートスイッチ等の押下等によりスタートイベントＥ１を検出してもよい。例えば第１の第１の情報通信端末１００−１がスイッチと連動していてもよいし、第１の情報通信端末１００−１がスタート用の音を検出するセンサーを備えていてもよい。第２の情報通信端末１００−２は、ランナーが携帯し、センター部がランナーのゴールを通過をゴールイベントＥ２として検出してもよい。例えばゴールに赤外線ビームを出力機器を設置して、ゴールラインに沿った赤外線ビームを出力し、ランナーが携帯する第２の情報通信端末１００−２に設けられた赤外線センサーが、赤外線ビームを検出することでランナーのゴール通過をゴールイベントＥ２として検出してもよい。
【００６２】
Ａは第１の情報通信端末１００−１におけるタイムチャートを示しており、Ｂは第２の情報通信端末１００−２におけるタイムチャートを示している。第１の情報通信端末１００−１と第２の情報通信端末１００−２の間でランナーがスタートする前に同期を確立する。第１の情報通信端末１００−１では、第２の通信端末に同期信号を送信した時刻ｔ０を無線通信の同期のタイミングとしてもよい。また第２の情報通信端末１００−２では第１の情報通信端末１００−２から同期信号を受け取った時刻ｔ１を無線通信の同期のタイミングとしてもよい。
【００６３】
第１の情報通信端末１００−１において、スタートイベントＥ１が発生し、この時点でカウンターのカウント値はαであるとすると、このαが前記無線通信の同期のタイミングＳＡに対応して設定された相対時刻となる。第１の情報通信端末１００−１の処理部は、スタートイベントＥ１の検出を第２の情報通信端末１００−２に伝えるためのイベント情報として、前記無線通信の同期のタイミングＳＡに対応して設定された相対時刻αに関連づけたイベント情報（スタートイベント検出に関する情報）を生成する。そして第１の情報通信端末１００−１の無線通信部は所与のタイミングｔ３でイベント情報２２０を第２の情報通信端末１００−２に送信し、第２の情報通信端末１００−２は、時刻ｔ４にイベント情報２２０を受信する。
【００６４】
第２の情報通信端末１００−２において、時刻ｔ５にゴールイベントＥ２が検出され、この時点でカウンターのカウント値はβであるとする。先に受信したイベント情報の相対時刻αと、βは同期がとれているので、これらの値に基づきランナーのスタートからゴールするまでのタイムを計測することができる。ただし第１の情報通信端末１００−１のおける無線通信の同期のタイミングＳＡ（時刻ｔ０）と第２の情報通信端末１００−２における無線通信の同期のタイミングＳＢ（時刻ｔ１）に通信遅延によるタイムラグγがある場合にはβ−αの値をγで補正するとよい。
【００６５】
タイムラグγは、第１の情報通信端末１００−１のシステム時刻（絶対時刻）や第２の情報通信端末１００−２のシステム時刻（絶対時刻）を送信データ含めることで算出してもよい。例えば無線通信部が同期信号送信時ｔ０の当該機器の絶対時刻ｔ０を何らかの形式で第２の情報通信端末１００−２に伝わるようにしてもよい。例えば無線通信同期確立部が、同期信号に同期信号送信時の当該装置が有しているシステム時刻ｔ０を含めて送信してもよい。この場合第１の情報通信端末１００−１のシステム時刻（絶対時刻）ｔ０と第２の情報通信端末１００−２のシステム時刻（絶対時刻）ｔ１の差によりγを求めることができる。また送信情報生成部が、イベント発生時のシステム時刻ｔ２を含むイベント情報を生成してもよい。この場合第１の情報通信端末１００−１のシステム時刻（絶対時刻）ｔ２−αが＝ｔ０となるので、ｔ２−αと第２の情報通信端末１００−２のシステム時刻（絶対時刻）ｔ１の差によりγを求めることができる。
【００６６】
このようにすることで、汎用無線方式での無線通信の同期信号を利用して、上位層のアプリケーションとしての情報処理の同期を実現することができる。
【００６７】
図５は、対等で双方向無線通信可能な情報通信端末間の通信制御について説明するための図である。
【００６８】
Ａは第１の情報通信端末１００−１におけるタイムチャートを示しており、Ｂは第２の情報通信端末１００−２におけるタイムチャートを示している。期間ＫＡ１（ａ０〜ａ１の間）、期間ＫＢ１（ｂ０〜ｂ１の間）は、第１の情報通信端末１００−１と第２の情報通信端末１００−２が他の情報通信端末との間で同期が確立していない状態である。この状態では、定期的に待ち受け状態（他の通信情報端末からの信号を受信可能な状態）になるようにしてもよいし、常時待ち受け状態になるようにしてもよい。この間の時刻ａ１において、第１の情報通信端末１００−１において、マスターとなるべきイベントＭＥが発生すると、他の情報通信端末（第２の情報通信端末１００−２）との無線通信の同期を確立するための同期信号２１０を送信する。第２の情報通信端末１００−２は、待ち受け状態にあるので、時刻ｂ１において第１の情報通信端末１００−１が送信した同期信号２１０を受信し、スレーブモードとなる。そして時刻ｂ１’（ｂ１＋Δｂ）において第１の情報通信端末１００−１にたいしＡＣＫ信号２１２を送信する。
【００６９】
第１の情報通信端末１００−１は、所定の間隔の通信タイミングａ２、ａ３、・・で、スレーブとなる第２の情報通信端末１００−２に信号２５０，２６０の送信を行う。
【００７０】
第２の情報通信端末１００−２は、所定の間隔の通信タイミングａ２を含む所定期間ＫＢ２−ｗ、所定の間隔の通信タイミングａ３を含む所定期間ＫＢ３−ｗ、・・において、待ち受け状態となり、第１の情報通信端末１００−１が送信した情報２５０、２６０を受信する。またそれ以外の期間ＫＢ２−ｓ、ＫＢ３−ｓでは、待ち受け状態よりも消費電力の低い状態になる。
【００７１】
所定の間隔は、無線通信の同期のタイミングによってカウントが開始されるカウント値に基づいて設定してもよい。また通信が行われる毎に、無線通信の同期のタイミングを設定し、カウント値をリセットするようにしてもよい。
【００７２】
このように本実施の形態では、双方向無線通信可能で対等な関係にある情報通信端末が、所与のタイミング又は所与のイベントによって一方がマスターとして機能し、他方がスレーブとして機能し、無線通信の同期確立後は、所定の間隔で通信を行い、スレーブとして機能するほうは、所定期間以外は待ち受け状態よりも消費電力の低い状態になるので、消費電力の少ない情報通信システムを構築することができる。
【００７３】
図６は、本実施の形態の情報通信端末の無線通信の同期信号を利用したアプリケーションとしての情報処理の同期制御の処理の流れの一例を示すフローチャートである。
【００７４】
情報通信端末は同期が確立したら以下の処理を行う（ステップＳ１０）。情報通信端末の無線通信モジュール（無線通信部）は、同期が確立した無線通信の同期のタイミングで、カウンター回路のカウント動作を開始させる制御を行う（ステップＳ２０）。
【００７５】
所与のイベントが発生したら（ステップＳ３０）、アプリケーションモジュール（処理部）は、前記カウンター回路のカウント値を取得して、取得したカウント値を無線通信の同期のタイミングに対応して設定された相対時刻としてイベント情報を生成する（ステップＳ４０）。そして無線通信モジュールは、イベント情報を他の情報通信端末に送信する（ステップＳ５０）。
【００７６】
図７は、本実施の形態の情報通信端末の無線通信の同期信号を利用したアプリケーションとしての情報処理の同期制御の処理の流れの他の一例を示すフローチャートである。
【００７７】
情報通信端末は同期が確立したら以下の処理を行う（ステップＳ１１０）。無線通信モジュール（無線通信部）は、同期が確立した無線通信の同期のタイミングで、プロセッサーに割り込み信号を出力する（ステップＳ１２０）。アプリケーションモジュールは割り込み信号に基づき、無線通信の同期のタイミングに対する相対時刻のカウントを開始する（ステップＳ１３０）。
所与のイベントが発生したら（ステップＳ１４０）、アプリケーションモジュール（処理部）は、カウント値を前記無線通信の同期のタイミングに対応して設定された相対時刻としてイベント情報を生成する（ステップＳ１５０）。
【００７８】
そして無線通信モジュールは、イベント情報を  他の情報通信端末に送信する（ステップＳ１６０）。
【００７９】
図８は、本実施の形態の情報通信端末の無線通信の同期信号を利用したアプリケーションとしての情報処理の同期制御の処理の流れの他の一例を示すフローチャートである。
【００８０】
情報通信端末は同期が確立したら以下の処理を行う（ステップＳ２１０）
無線通信モジュール（無線通信部）は、同期が確立した所定のタイミングで、カウンター回路のカウント動作を開始させる制御を行う（ステップＳ２２０）。アプリケーションモジュールは割り込み信号に基づき、無線通信の同期のタイミングに対する相対時刻のカウントを開始する（ステップＳ２３０）。
【００８１】
他の情報通信端末から、第１のイベントのイベント情報を受信すると（ステップＳ２４０）、イベント情報に含まれる無線通信の同期のタイミングに対応して設定された相対時刻に基づき、他の情報通信端末の第１のイベントと同期をとって、情報処理を行う（ステップＳ２５０）。
【００８２】
図９は、本実施の形態の情報通信端末の双方向通信の待ち受け制御の処理の流れの他の一例を示すフローチャートである。
【００８３】
同期が確立していない状態で待ち受け状態にある場合に（ステップＳ３１０）、マスターとなるべきイベント発生すると（ステップＳ３２０）、他の情報通信端末との無線通信の同期を確立するための同期信号を送信する（ステップＳ３３０）。そして、他の情報通信端末からＡＣＫ信号受信すると（ステップＳ３４０）、他の情報通信端末と無線通信の同期が確立してマスターモードになる （ステップＳ３５０）。
【００８４】
また 同期が確立していない状態で待ち受け状態にある場合に（ステップＳ３１０）、他の情報通信端末から無線通信の同期を確立するための同期信号を受信すると（ステップＳ３６０）、他の情報通信端末と無線通信の同期が確立してスレーブモードになる（ステップＳ３７０）。
【００８５】
情報通信端末が、マスターモードである場合には（ステップＳ３８０）、所定の間隔の通信タイミングで、スレーブとなる他の情報通信端末に信号の送信を行（ステップＳ３９０）。
【００８６】
情報通信端末が、スレーブモードである場合には（ステップＳ４００）、所定の間隔の通信タイミングを含む所定期間では（ステップＳ４１０でＹ）、マスターとなる他の情報通信端末からの信号を受信可能な待ち受け状態になる（ステップＳ４２０）。それ以外の期間は（ステップＳ４１０でＮ）、待ち受け状態よりも消費電力の低い状態になる（ステップＳ４３０）。
【００８７】
本発明の技術範囲は上記実施形態に限定されるものではなく、本発明の趣旨を逸脱しない範囲で適宜変更を加えることができる。
【００８８】
例えば上記実施の形態において説明した情報通信端末において、センサー部に生体情報を検出するセンサーを用いて生体情報測定機器を実現してもよい。生体情報測定機器は、生体情報に関するセンサーの検出結果を無線通信の同期のタイミングに対応して設定された相対時刻に関連づけたイベント情報を生成して、外部機器に送信してもよい。そして外部機器では、無線通信の同期のタイミングに対応して設定された相対時刻に関連づけたイベント情報を受信すると、当該相対時刻に基づき、前記外部機器の前記イベント情報との同期をとって、情報処理を行うようにしてもよい。
【００８９】
生体情報とは体温、体重、心拍、脈、血圧等でもよく、センサーはこれらを検出するセンサーでもよい。
【００９０】
この様にすると、例えば右手に装着した生体情報を検出するセンサーと、左手に装着した生体情報を検出するセンサーの無線によるデータ通信時に各々の取得された生体情報の同期化が実現する為、そのデータ分析が容易となる。
【００９１】
また携帯用健康管理機器の同期を実現して、一方の生体情報の高精度時刻情報によって、他方の測定時刻と同期化を実現することができる。
【符号の説明】
【００９２】
１０  情報通信システム、１００  情報通信端末、１１０  無線通信部、１１２  無線通信同期確立部、１１４  双方向通信制御部、１１６  制御部、１１７  同期信号、１１８  カウンター回路、１２０  処理部（ＣＰＵ）、１２２  送信情報生成部、１２４  イベント同期処理部、１３０  センサー部、１６０  記憶部、１７０  アンテナ、２１０  同期信号、２１２  ＡＣＫ信号  
【図１】
0005849413.tif 000002
【図２】
0005849413.tif 000003
【図３】
0005849413.tif 000004
【図４】
0005849413.tif 000005
【図５】
0005849413.tif 000006
【図６】
0005849413.tif 000007
【図７】
0005849413.tif 000008
【図８】
0005849413.tif 000009
【図９】
0005849413.tif 000010